(57)【特許請求の範囲】
【請求項１】
上部レール上を走行する走行体上にコイルばねにより支承されて上下動する中間枠を設け、該中間枠上より前後動をする吊軸を垂下して吊り引戸を吊り支持するとともに、手動または電動により別途に横移動する移動体を設け、該移動体の両端の傾斜孔に上端の突子を嵌合して上下動する上下動板を挟む構成の縦枠を該吊り引戸の開閉方向の両側に垂下させ、該縦枠の中間の間隔を置いた数個所の上下動板に傾斜誘導孔をクロスさせた傾斜ガイド孔を設け、該傾斜ガイド孔に吊り引戸の支持軸を挿通して、該吊り引戸の閉じ走行後に前記移動体を移動させることにより、該支持軸を前記傾斜ガイド孔を前進しつつ傾斜誘導孔に誘導し下降させることにより、吊り引戸にて床面を含む戸口の四周を密閉するようにしたことを特徴とする吊り引戸の戸口密閉装置。
【請求項２】
吊軸を水平回動する円盤と該円盤に設けた長孔に吊り下げ取付けした請求項１に記載の吊り引戸の戸口密閉装置。
【請求項３】
吊り引戸の開閉走行を安定させるとともに閉戸時に縦枠を固定するストッパー機構を設けた請求項１記載の吊り引戸の戸口密閉装置。
【発明の詳細な説明】
【０００１】
【発明が属する技術分野】
この発明は吊り引戸の戸口密閉装置に関するものである。
【０００２】
【従来の技術】
吊り引戸は床面をフラットにすることができるため、従来より広く用いられているが、壁面等をこすらないようにするために壁面等から離れたところを単に水平走行して戸口の外面を開閉するようにしている。
【０００３】
【発明が解決しようとする課題】
従って、吊り引戸を閉じ走行して戸口を閉じたときに、戸口との間に下端の床面を含む四周に隙間が生じて、室内は外部音の流入により防音性に欠け、また電磁波等が室内に流入して、病院の室内機器や機器室内の精密機器、測定機器などに誤作動等の電波障害を発生させているという課題がある。そこで閉じ走行の際に引戸を戸口側に寄せるとともに降下させて密閉することを試みているが、吊り下げ走行という吊り引戸の構造上の不安定さにより、密閉が不完全となったり短期のうちに故障等が生じて使用不能にしているという課題がある。
【０００４】
【課題を解決するための手段】
本発明は吊り引戸の開閉方向の両側に縦枠を配置し、この縦枠ごと吊り引戸を開閉走行するようにして、該縦枠をもとに吊り引戸を上下動および前後進するようにして、閉じ走行した後に戸口の四周を床面を含んで密閉し得るようにして、かかる課題を解決するようにしたのである。
【０００５】
【発明の実施の形態】
図１に示すように上部レール１下に吊り下げられて開閉走行する引戸３は開閉方向の両側に縦枠４ａ，４ｂを有して、該縦枠４ａ，４ｂごと開閉走行し、且つ引戸３を縦枠４ａ，４ｂをもとに上下動および進退するようにして、閉じ走行後に戸口の四周を下の床面を含んで密閉し得るようにしたのである。
【０００６】
吊り引戸３を上下動および進退させて戸口を密閉する構造の一例を以下に説明する。
【０００７】
上部レール１内に走行用のローラ２ａ付の走行体２を設けて吊り引戸３を開閉方向の両側に配置する縦枠４ａ，４ｂごと開閉走行するようにする。２ａは走行用のローラである。５は走行体２上に設けた中間枠で、走行体２とともに走行するほか両端にそれぞれ縦設するコイルばね６ａ，６ｂにより支承されて上下動するようになっている。中間枠５上の両側中間の２個所に設けた水平回動する円盤７は図４に示すように放射方向に長孔７ａを設けて該長孔７ａに引戸３の吊軸８ａ，８ｂを吊り下げ取付けして円盤７の半回動により引戸３が直線的に進退できるように支持している。９は走行体２上に支持板９ａにて横移動自在に支持された移動体で、手動または電動にて横移動するようになっており、走行体２の開閉方向の両端に閉じ方向を高、開き方向を低とする傾斜孔１０を設け、該両傾斜孔１０に縦枠４ａ，４ｂ内にそれぞれ垂下した上下動板１１に取付けた連結杆１１ａの上端の突子１２を嵌合して、移動体９の横移動にて図２および図３に示すように両上下動板１１が同時に上下動するようにしている。
【０００８】
図５に示すように縦枠４ａ，４ｂはそれぞれ上下動板１１を挟んで引戸３側から３枚構成にて形成されていて、上下動板１１の間隔を置いた上中下の３個所等に設ける傾斜ガイド孔１３を挟んで引戸３側に遊孔１４を設け、内側には傾斜誘導孔１５を傾斜ガイド孔１３に対してクロスさせて設けている。遊孔１４，傾斜ガイド孔１３および傾斜誘導孔１５を貫通するようにして吊り引戸３から突出する各支持軸１６を挿着する。４ｃは縦枠４ａ，４ｂのカバー部材である。他側のこれらの機構は図５と対称に設けられている。なお図１に示す１７ａ，１７ｂは縦枠４ａ，４ｂの走行時の前後のふれを防止し、閉戸時の縦枠４ａ，４ｂのふれを防止して固定するためのストッパー機構で、１８は戸袋側にのみ設けてストッパー１７ｂとの嵌合により走行時および閉戸時の前後のふれを防止するふれ止め用のレールである。ストッパー１７ａは図１（ｂ）に示すように閉戸時に縦枠４ａに嵌合して前後のふれを防止するようにして縦枠４ａを固定することとなる。
【０００９】
以上にように吊り引戸３を左右の縦枠４ａ，４ｂごと閉じ走行させて戸口１９前に到達したときに、移動体９を手動または電動により閉じ方向に移動させると、図３に示すように縦枠４ａ，４ｂ内の両側の上下動板１１は上端の突子１２が傾斜孔１０の低い端に案内されることによって同時に降下することとなる。両上下動板１１の降下に伴い吊り引戸３の両側の各支持軸１６は傾斜ガイド孔１３内を移動して吊り引戸３とともに戸口１９側に前進しつつ同時に傾斜誘導孔１５の下がり傾斜に誘導されるため、吊り引戸３は前進しながら降下して戸口１９の四周を床面２０を含んで密閉することとなる。
【００１０】
この間吊り軸８ａ，８ｂは図６に示すように中間枠５の降下と、各円盤７の半回動による前進にて吊り引戸３をして無理のない密閉動作をさせるのである。そして吊り引戸３はふれ止め用レール１８とふれ止めストッパー１７ａ，１７ｂにより縦枠４ａ，４ｂの前後のふれが防止されるために、これら縦枠４ａ，４ｂを支柱にして前進降下を安定して確実に行なうことができることとなる。なお図示してないが戸口１９の四周または吊り引戸３の内面および下面あるいはその双方には防音と電磁波等の遮断とを兼ねた密閉用の緩衝部材を取付けている。
【００１１】
吊り引戸３を開き回動するときは先づ移動体９を開き方向に横移動させて両側の上下動板１１を上動して各支持軸１６を傾斜誘導孔１５の上がり傾斜方向へ誘導して上動させながら後退させるのである。吊り引戸３は床面２０をこすらずに上動しながら後退して戸口１９と床面２０より離れ、次いで開き走行させることにより戸口１９前を開放するのである。
【００１２】
この間吊り引戸３の降下、すなわち中間枠５の降下によって圧縮されていたコイルばね６ａ，６ｂの伸張作動と、移動体９と中間枠５間に張設したコイルばね６ｃおよび図７に示すように縦枠４ａ，４ｂ内にてそれぞれ上下動板１１に張設したコイルばね６ｄの圧縮作用によって吊り引戸３はその重さにかかわらず軽く上動することができ、吊軸８ａ，８ｂも中間枠５の上動と両円盤７の半回動にて後退上動に追従する。
【００１３】
なお図５に示す傾斜誘導孔１５は水平部と傾斜部とからなる形状にて形成されているが、これは図８（ａ）に示すように床面２０に吊り引戸３の下端が嵌合する凹溝２０ａを設けている場合に水平に移動してから降下するように形成されたものであって、図８（ｂ）に示すように床面２０が平滑なときには傾斜誘導孔１５も単純な傾斜形状でよいものとなる。
【００１４】
また吊り引戸３の開閉は公知の自動ドアの開閉機構（図示してない）を用いて自動化することができ、吊り引戸３の両縦枠ごとの開閉走行と吊り引戸３の進退および昇降作動をモータ作動にして連動させて壁または吊り引戸に設けたスイッチ（図示してない）操作により全自動とすることもできるほか、図９に示すように移動体９を横移動させるための操作ハンドル２１を設けて開閉走行を含めてすべてを手動で操作するようにすることもできる。いずれにしても前記したコイルばねの補助機構によって人にも機械にも負担少なくスムーズに操作することができるものとなる。
【００１５】
【発明の効果】
本発明は以上のようにして、吊り引戸を両側の縦枠ごと開閉し、安定した縦枠を基点として上下動且つ前後進するようにして、閉戸時に床面を含む戸口の四周を密閉するようにしたので、室内に外部音の流入と、特に電磁波の室内侵入を防止して精密機器類を誤作動させないという効果を生ずる。
【００１６】
縦枠内に上下動板を挟入し、これを走行体に設けた移動体に連動させて、吊り引戸に上下動と前後進をさせるようにしたので、密閉のための作動機構が単純な上に縦枠などにより保護されるために長期に亘り故障しないで作動し続け、吊り引戸を円滑に上下動および前後進させて戸口を密閉することができるという効果を生ずる。
【００１７】
適所にコイルばねによる補助機構を取付けたので、引戸の上動時の作動負担が軽減されて、手動操作においてはごく軽く操作することができ、電動操作においてはモータやギア等の摩耗損傷を低減して装置寿命を長く維持することができるという効果を生ずる。
【図面の簡単な説明】
【図１】（ａ）は戸口を開放している状態にて示す正面図、（ｂ）は戸口を密閉した状態を示す正面図
【図２】吊り引戸の走行時の状態を示す部分拡大断面図
【図３】吊り引戸を前進降下させて戸口を密閉した状態を示す部分拡大断面図
【図４】吊軸を吊り下げた円盤の回動作用を示す説明図
【図５】移動体の移動による上下動板の降下と吊り引戸の前進の状態を示す図で、（Ａ）は吊り引戸の走行時の状態を示す部分側断面図、（ａ）は同、矢視図、（Ｂ）は移動体の移動により上下動板が下降して吊り引戸が前進（下降）した状態を示す側断面図、（ｂ）は同、矢視図
【図６】中間枠を上下動自在に支承するコイルばね部分を示す図で（ａ）は走行時の状態を示す側断面図、（ｂ）は中間枠が下動するとともに円盤が半回動して吊り引戸が前進降下した状態を示す側断面図
【図７】コイルばねの補助機構部分を示す縦断正面図
【図８】（ａ）は床面に凹溝を設けた例における傾斜誘導孔の形状を示す説明図、（ｂ）は床面が平滑な場合の傾斜誘導孔の形状を示す説明図
【図９】吊り引戸に操作用のハンドルを設けた例を示す正面図
【符号の説明】
１は上部レール
２は走行体
２ａは走行用のローラ
３は吊り引戸
４ａ，４ｂは吊り引戸の左右の縦枠
５は中間枠
６ａ，６ｂ，６ｃ，６ｄはコイルばね
７は円盤
８ａ，８ｂは吊軸
９は移動体
９ａは支持板
１０は傾斜孔
１１は上下動板
１１ａは連結杆
１２は突子
１３は傾斜ガイド孔
１４は遊孔
１５は傾斜誘導孔
１６は支持軸
１７ａ，１７ｂはストッパー機構
１８はふれ止め用のレール
１９は戸口
２０は床面
２０ａは凹溝
２１は操作ハンドル
【図１】
0003600180.tif 000002
【図２】
0003600180.tif 000003
【図３】
0003600180.tif 000004
【図４】
0003600180.tif 000005
【図５】
0003600180.tif 000006
【図６】
0003600180.tif 000007
【図７】
0003600180.tif 000008
【図８】
0003600180.tif 000009
【図９】
0003600180.tif 000010